(57)【要約】【課題】はがき、クーポン、シールなどの取り外し可能な部分とともに、より多くの情報や図などを掲載することが可能なシート状印刷物を廉価に提供する。【解決手段】取り外し可能な分離領域と残される残置領域とがシート本体２に形成されるはがき付き印刷物１である。シート本体２は、両面に印刷が施された二枚の紙片２０１，２０２を積層した二層構造を有し、紙片２０１，２０２を積層しただけの非接合部３と、紙片２０１，２０２を積層して剥離可能に接着した接合部４とを備える。二層構造のシート本体２の上層２３に設けられたミシン目のアンカット部を破断し、非接合部３の上層２３と下層２４との合わせ面を開くとともに、接合部４を剥離して上層２３と下層２４との合わせ面を露出する。分離領域として、非接合部３に切り離し可能に設けられたはがき本体５１、クーポン７１と、接合部４に剥離可能に設けられた保護シール６１と、を設ける。【選択図】図１
0003191770.tif 000002
【実用新案登録請求の範囲】
【請求項１】
取り外し可能な分離領域と残される残置領域とがシート本体に形成されるシート状印刷物であって、
前記シート本体は、両面に印刷が施された二枚の紙片を積層した二層構造を有し、前記紙片を積層しただけの非接合部と、前記紙片を積層して剥離可能に接着した接合部とを備え、
二層構造の前記シート本体の一方の層に、少なくとも一箇所にアンカット部を設けた切込みが設けられ、前記アンカット部を破断し、前記非接合部の二層の合わせ面を開くとともに、前記接合部を剥離して二層の合わせ面を露出可能に構成され、
前記分離領域として、前記非接合部に前記残置領域とアンカット部を介して接続され切り離し可能に設けられた切離部と、前記接合部に剥離可能に設けられたシール部と、を有することを特徴とするシート状印刷物。
【請求項２】
前記シート本体は、前記非接合部に、前記シート本体から起立する起立部を有し、前記起立部が前記シート本体から切り離されることなく起立するように前記起立部の周縁に沿って前記非接合部の一方の層に、起立用折目と起立用切込とを形成することを特徴とする請求項１に記載のシート状印刷物。
【請求項３】
前記分離領域は、前記シート本体の一方の層に設けられ、二層構造の前記シート本体を、中央付近から前記一方の層を内側にして折り畳み、前記一方の層の互いに対峙した端縁近傍を剥離可能に接着することを特徴とする請求項１又は２に記載のシート状印刷物。
【考案の詳細な説明】
【技術分野】
【０００１】
本考案は、広告や宣伝のために配布されるチラシ、ブック状玩具、子供向け教材、雑誌や本の綴込み、又はダイレクトメールなどに使用される、取り外し可能なはがきやクーポンなどが付いたシート状印刷物に関するものである。
【背景技術】
【０００２】
従来、チラシや本の綴込みなどのシートの一部が、取り外し可能なはがきとなっている印刷物が知られている。例えば特許文献１には、紙片を重ねて貼り合せた二層構造のはがきが、ミシン目から切り離せる構成が開示されている。
【先行技術文献】
【特許文献】
【０００３】
【特許文献１】特開２００４−１３３０６５号公報
【考案の概要】
【考案が解決しようとする課題】
【０００４】
しかしながら特許文献１に開示された印刷物では、紙片を剥離不能に接着しているため、表面と裏面のはがき部分以外の領域にしか広告情報を掲載できず、掲載できる情報量が限られていた。
【０００５】
また、この特許文献１では、はがき部分のみ剥離不能に接着し、はがき部分以外の領域を剥離可能に張り合わせた実施形態も開示されている。この場合、印刷物の表面および裏面だけでなく、貼り合わせ面にも広告情報を表示することができるが、やはり、はがき部分は剥離不能であるため、その張り合わせ面を有効利用することはできなかった。また、貼り合わせ面の全周又は全面に離形剤層や接着剤層を設ける必要があり、コスト高となっていた。
【０００６】
そこで、本考案は、はがき、クーポン、シールなどの取り外し可能な部分とともに、より多くの情報や図などを掲載することが可能なシート状印刷物を廉価に提供することを目的としている。
【課題を解決するための手段】
【０００７】
前記目的を達成するために、本考案のシート状印刷物は、取り外し可能な分離領域と残される残置領域とがシート本体に形成されるシート状印刷物であって、前記シート本体は、両面に印刷が施された二枚の紙片を積層した二層構造を有し、前記紙片を積層しただけの非接合部と、前記紙片を積層して剥離可能に接着した接合部とを備え、二層構造の前記シート本体の一方の層に、少なくとも一箇所にアンカット部を設けた切込みが設けられ、前記アンカット部を破断し、前記非接合部の二層の合わせ面を開くとともに、前記接合部を剥離して二層の合わせ面を露出可能に構成され、前記分離領域として、前記非接合部に前記残置領域とアンカット部を介して接続され切り離し可能に設けられた切離部と、前記接合部に剥離可能に設けられたシール部と、を有することを特徴とする。
【０００８】
また、前記シート本体は、前記非接合部に、前記シート本体から起立する起立部を有し、前記起立部が前記シート本体から切り離されることなく起立するように前記起立部の周縁に沿って前記非接合部の一方の層に、起立用折目と起立用切込とを形成することが好ましい。
【０００９】
さらに、前記分離領域は、前記シート本体の一方の層に設けられ、二層構造の前記シート本体を、中央付近から前記一方の層を内側にして折り畳み、前記一方の層の互いに対峙した端縁近傍を剥離可能に接着することが好ましい。
【考案の効果】
【００１０】
このように構成された本考案のシート状印刷物は、両面に印刷が施された二枚の紙片を積層した二層構造を有し、前記紙片を積層しただけの非接合部と、前記紙片を積層して剥離可能に接着した接合部とを備えている。二層構造のシート本体の一方の層に、少なくとも一箇所にアンカット部を設けた切込部が設けられ、アンカット部を破断し、前記非接合領域の二層の合わせ面を開くとともに、接合部を剥離して二層の合わせ面を露出可能に構成されている。
【００１１】
そして、分離領域として、残置領域とアンカット部を介して接続され切り離し可能に設けられた切離部と、接合部に剥離可能に設けられたシール部と、を有している。
【００１２】
このため、はがき、クーポン、シールなどの取り外し可能な部分とともに、より多くの情報や図などを掲載することができるシート状印刷物を廉価に提供することができる。
【図面の簡単な説明】
【００１３】
【図１】本考案の実施の形態のシート状印刷物としてのはがき付き印刷物の使用状態を説明する斜視図である。
【図２】シート本体の二枚の紙片が展開された状態であって、二枚の紙片の表面を示した説明図である。
【図３】シート本体の二枚の紙片が展開された状態であって、二枚の紙片の裏面を示した説明図である。
【図４】シート本体の二枚の紙片を積層した状態を示した説明図である。
【図５】はがき付き印刷物の完成した状態を説明する平面図である。
【図６】はがき付き印刷物が開いた状態の構成を説明する平面図である。
【考案を実施するための形態】
【００１４】
以下、本考案の実施の形態について図面を参照して説明する。図１は、本実施の形態のシート状印刷物としてのはがき付き印刷物１の構成及び使用方法を説明するための斜視図である。
【００１５】
このはがき付き印刷物１は、図１−図３に示すように、両面に印刷が施された二枚の紙片２０１，２０２を積層した二層構造のシート本体２で構成されている。このシート本体２は、紙片２０１，２０２を積層しただけの非接合部３と、紙片２０１，２０２を積層して剥離可能に接着した接合部４とを備えている（図１、図４等参照）。このようなシート本体２に、はがき部５、シール部６、クーポン部７、及び、起立部８が設けられている。なお、図２、図３では、はがき部５、シール部６、クーポン部７、起立部８、広告領域９Ａ，９Ｂ、各種切取線や折目などとなる箇所又は領域を点線で表し、符号を付している。
【００１６】
シート本体２の二枚の紙片２０１，２０２は、図２、図３に示すように、短辺２１Ａ，２１Ｂと長辺２１Ｃ，２１Ｄとを有する略長方形（例えば、Ａ４サイズの紙２枚分）に形成されている。シート本体２の各紙片２０１，２０２の第一面（以下「表面」と呼ぶ）２０１ａ，２０２ａ及び第二面（以下、「裏面」と呼ぶ）２０１ｂ，２０２ｂには、必要に応じて広告、図、文字などの広告情報の印刷が施される。なお、図４，図６中の矢印は、シート本体２に印刷されたものではなく、シート本体２の折方向又は展開方向を示す矢印である。
【００１７】
この略長方形の紙片２０１，２０２を積層することで、二層構造のシート本体２を形成している。紙片２０１からなる層を上層２３とし、この上層２３が積層され紙片２０２からなる層を下層２４とする。図２、図３に示すように、下層２４となる紙片２０２の表面２０２ａの短辺２１Ａ，２１Ｂ近傍には、接着剤を塗布することにより接着層２７Ａ，２７Ｂが設けられている。紙片２０１及び紙片２０２は、この接着層２７Ａ，２７Ｂを介して互いに接着されている。
【００１８】
はがき部５とシール部６とは、中央の折目２２を挟んでシート本体２の長辺２１Ｄ側に並んで設けられている。起立部８は、はがき部５及びシール部６と直列して、長辺２１Ｃ側に設けられている。クーポン部７は、はがき部５に隣接して短辺２１Ｂ側に設けられている。
【００１９】
また、二層構造のシート本体２の、はがき部５、シール部６、クーポン部７及び起立部８以外の領域は、これらの利用方法、商品広告、講座情報などの広告情報を掲載する広告領域となっている。この広告領域は、中央の折目２２を挟んで短辺２１Ａ側を広告領域９Ａとし、短辺２１Ｂ側を広告領域９Ｂとする。広告領域９Ａ，９Ｂは、上層２３と下層２４とを積層しただけの非接合部３に形成される。
【００２０】
この広告領域９Ａ，９Ｂの上層２３と下層２４との合わせ面を開いて、シート本体２を展開することで、利用者は、紙片２０１の表面２０１ａや紙片２０２の裏面２０２ｂに印刷された広告情報だけでなく、紙片２０１の裏面２０１ｂや紙片２０２の表面２０２ａに印刷された広告情報も視認することができる。そのため、より多くの広告情報を掲載して利用者に提示することができる。なお、広告領域９Ａ，９Ｂを開き易くするため、広告領域９Ａ，９Ｂの上層２３には、短辺２１Ａ，２１Ｂのやや内側（接着層２７Ａ，２７Ｂの内側）に、該短辺２１Ａ，２１Ｂと平行なミシン目を入れて、広告領域９Ａ，９Ｂの上層２３を折り返す折目９２Ａ，９２Ｂが形成されている。
【００２１】
はがき部５は、上層２３と下層２４とを積層しただけの非接合部３の上層２３に設けられ、取り外し可能な分離領域（切離部）としてのはがき本体５１を有している。はがき本体５１は、一方の面（例えば紙片２０１の表面２０１ａ）への印刷によって宛名面５２（図２等参照）が形成され、他方の面（例えば紙片２０１の裏面２０１ｂ）への印刷によって通信面５３（図３参照）が形成される。はがき部５は、非接合部３の上層２３のみに、はがき本体５１の周縁に沿ってミシン目からなる切取線５４が設けられることによって形成される。この切取線５４のミシン目のアンカット部によって、はがき本体５１はシート本体２と接続され、使用時は、この切取線５４に沿って、はがき本体５１を切り離すことができる。
【００２２】
はがき本体５１は、例えば第一種郵便物の定形郵便物に該当する長方形に成形される。定形郵便物の最小形状は、長辺が１４ｃｍで短辺が９ｃｍであり、最大形状は長辺が２３．５ｃｍで短辺が１２ｃｍで厚さが１ｃｍである。なお、重さは５０ｇ以下であればよく、下限値の制限はない。
【００２３】
シール部６は、上層２３と下層２４とを積層して剥離可能に接着した接合部４に設けられている。シール部６は、はがき本体５１の通信面５３の上面に張り付けられ、個人情報などの秘匿情報を保護する長方形状の個人情報保護シール（以下、「保護シール」と呼ぶ）６１と、保護シール６１が剥離可能に接着される台紙６２とを有している。図２に示すように、保護シール６１は、上層２３に設けられ、台紙６２は下層２４に設けられる。
【００２４】
保護シール６１は、シール部６の上層２３に、保護シール６１の形状に合わせて、切込み６５を入れることにより形成されている。保護シール６１の一方の面（紙片２０１の表面２０１ａ）には、「個人情報保護シール」の文字及び個人情報が視認できないような色や記号などが印刷されている。図２に示すように、保護シール６１の他方の面（紙片２０１の裏面２０１ｂ）には、剥離と再接着とが可能な粘着剤の塗布によって、粘着層６３が設けられている（図３参照）。また、台紙６２の一方の面（紙片２０２の表面２０２ａ）には、コーティング剤を塗布してコーティング層６４が設けられている（図２参照）。
【００２５】
なお、保護シール６１と台紙６２との合わせ面、すなわち、保護シール６１の他方の面（紙片２０１の裏面２０１ｂ）及び台紙６２の一方の面（紙片２０２の表面２０２ａ）にも、文字や図などの広告情報を印刷することができる。保護シール６１を台紙６２から剥離した際に、これらの情報を視認することができる。したがって、より多くの広告情報を掲載して利用者に提供することができる。
【００２６】
保護シール６１は、全周縁が切込み６５によって切り取られ、シート本体２の上層２３から分離した状態で台紙６２に接着されている。そのため、未使用時には台紙６２から保護シール６１が不測に剥がれることがないが、使用時には保護シール６１を台紙６２から容易に剥離することができる。
【００２７】
シール部６の粘着層６３とコーティング層６４とは、印刷後の紙片２０１，２０２の該当領域にそれぞれに形成される。粘着層６３に用いられる粘着剤には、例えばアクリル系粘着剤などの不溶性の糊が使用される。また、コーティング層６４に用いられるコーティング剤には、例えばシリコーン樹脂を使用することができる。シリコーン樹脂には、溶剤型、無溶剤型、エマルジョン型などがあり、例えば、ＵＶシリコーンが使用できる。
【００２８】
クーポン部７は、割引券や優待券などの複数のクーポン７１を有している。クーポン７１は、クーポン７１の形状に合わせて、上層２３にミシン目からなる切取線７２を入れることにより形成されている。各クーポン７１は、この切取線７２のミシン目のアンカット部によりシート本体２と接続されているが、使用時には、この切取線７２のミシン目に沿って、各クーポン７１を切り離すことができる。なお、クーポン部７とはがき部５との境界のはがき本体５１の切取線５４は、クーポン７１の切取線７２にもなっている。
【００２９】
各クーポン７１の一方の面（紙片２０１の表面２０１ａ）には、例えば、各クーポン７１の種類などが印刷され、他方の面（紙片２０１の裏面２０１ｂ）には、例えば、割引率や優待率、割引や優待の内容などが印刷されている。利用者は、シート本体２からクーポン７１を切り取って、使用先の店舗やスクールなどに持ち歩くことができる。
【００３０】
また、下層２４において、上層２３に形成されたはがき部５及びクーポン部７が積層される領域（紙片２０２の表面２０２ａ）にも、文字や図などの広告情報を印刷することができる。はがき本体５１及びクーポン７１を切り取ることで、下層２４の当該領域に印刷された広告情報を視認することができる。したがって、より多くの広告情報を掲載して、利用者に提示することができる。この下層２４の当該領域も、広告領域９Ｂを構成している。
【００３１】
起立部８は、図１、図４などに示すように、シート本体２の中央の折目２２を挟んで、上層２３の略中央に形成されている。起立部８は、上層２３と下層２４とを積層しただけの非接合部３に設けられている。
【００３２】
起立部８は、シート本体２から立体的に立上る起立片８１と、起立片８１を支持する基部８２と、を有している。起立片８１を形成するため、上層２３には、起立片８１の周縁に沿って略Ｖ字形の起立用折目８３と略四角形の起立用切込８４とが設けられている。また、基部８２は、下層２４の所定の範囲に接着剤を塗布して設けられた接着層８５（図２参照）を介して、下層２４に接着されている。起立用折目８３、起立用切込８４、接着された基部８２により、起立片８１がシート本体２から切り離されたり、浮き上がったりすることなく起立可能となる。
【００３３】
また、起立用折目８３は、シート本体２の折目２２とのなす角が鈍角となるように形成される。この起立用折目８３は、ミシン目などで折れ易くしたものであっても、折る位置を線で示したものであっても、凹溝を設けて線を示したものであっても、いずれでもよい。
【００３４】
また、起立用切込８４は、起立用折目８３の両端部を結ぶように略四角形に切り込まれる。この結果、起立用折目８３を起点にして起立片８１を起こす方向に折り曲げると、起立用切込８４によって外形が形成される起立片８１を起立させることができる。
【００３５】
さらに、起立片８１には、シート本体２の中心の折目２２周辺に接合用折目８６が設けられている。この接合用折目８６は、起立用折目８３と略直交する方向に向けて形成される。この接合用折目８６も、ミシン目などで折れ易くしたものであっても、折る位置を線で示したものであっても、凹溝を設けて線を示したものであっても、いずれでもよい。
【００３６】
そして、起立片８１の接合用折目８６及び中央の折目２２を折り曲げて、二等辺三角形状となった中央周辺の表面２０１ａを互いに接着剤で接着して中央接合部８７とする。この結果、図１に示すように、起立片８１を壁のように略台形の立体形状にすることができる。
【００３７】
起立片８１の両面（表面２０１ａ，裏面２０１ｂ）には、文字や図などの広告情報が印刷されるが、特に重要な情報などを印刷することが好ましい。起立片８１が起立することで、これらの重要情報を、利用者に印象付けて提示することができる。また、下層２４において、起立片８１が積層される領域にも、文字や図などの広告情報を印刷しておく。これにより、起立片８１が起立したときに、当該領域が露出して、当該領域に印刷された広告情報を利用者に提示される。当該領域も、広告領域９Ａ，９Ｂを構成している。
【００３８】
また、起立用切込８４に連続して、基部８２の両側であって、基部８２と広告領域９Ａ，９Ｂとの境界には、ミシン目からなる切取線８８Ａ，８８Ｂが形成されている。この切取線８８Ａ，８８Ｂをミシン目とすることにより、アンカット部で広告領域９Ａ，９Ｂの上層２３と基部８２とが接続され、広告領域９Ａ，９Ｂの上層２３が長辺２１Ｃ側で不測に浮き上がったり、めくれたりするのを防ぐことができる。広告領域９Ａ，９Ｂの上層２３と下層２４との合わせ面を開くときには、切取線８８Ａ，８８Ｂのアンカット部を破断することで、容易に開くことができる。
【００３９】
以上のように構成されたはがき付き印刷物１において、はがき本体５１、保護シール６１及びクーポン７１は、シート本体２から取り外し可能な分離領域である。この分離領域以外の残される領域、すなわち、起立部８及び広告領域９Ａ，９Ｂを含む領域が、残置領域である。
【００４０】
次に、図面を参照しながら本実施形態のはがき付き印刷物１の製作方法及び使用方法について説明する。
【００４１】
まず、ロール紙からシート本体２を引き出し、両面印刷機（図示せず）によってシート本体２となる紙片２０１，２０２の表面２０１ａ，２０２ａ及び裏面２０１ｂ，２０２ｂに印刷を行う。すなわち、はがき部５、シール部６、クーポン部７、起立部８及び広告領域９Ａ，９Ｂとするのに必要な印刷は、この工程ですべて行う。
【００４２】
印刷後に、リワインダー装置（図示せず）によって巻き取られたシート本体２をオフライン加工機（図示せず）にセットし、再び引き出された印刷済みのシート本体２の紙片２０２に対して、図２に示すように、表面２０２ａの所定の範囲にＵＶシリコーンを塗布してコーティング層６４を形成する。そして、コーティング層６４をＵＶ硬化させた後に、紙片２０２の表面２０２ａの所定の範囲に接着剤を塗布して、接着層２７Ａ，２７Ｂ，８５を形成する。
【００４３】
一方、オフライン加工機の印刷済みのシート本体２の紙片２０１に対して、図３に示すように、紙片２０１の裏面２０１ｂの所定の範囲に粘着剤を塗布して、粘着層６３を形成する。
【００４４】
シート本体２の粘着層６３とコーティング層６４とを設けた領域とが、接合部４となる。接合部４以外の領域には、粘着層やコーティング層を設けないことで、非接合部３が形成される。したがって、粘着剤を全面に塗布した後に、上塗り印刷やコーティングなどによって粘着力を取り除く方法などに比べて、粘着剤などの使用を必要最小限に抑えることができ、廉価な実施が可能となる。
【００４５】
次に、シート本体２を積層して接着する工程に移行する。まず、はがき付き印刷物１ごとに切断されたシート本体２の下層２４となる紙片２０２の上面に、上層２３となる紙片２０１を積層し、接着層２７Ａ，２７Ｂを介して紙片２０１，２０２を互いに接着し、二層構造のシート本体２を形成する。
【００４６】
また、紙片２０１，２０２の積層により、粘着層６３とコーティング層６４とを貼り合わせることで、シール部６が形成される。また、上層２３の所定領域を接着層８５に接着することで、起立部８の基部８２が形成される。
【００４７】
次に、図４に示すように、上層２３と下層２４とが積層された状態のまま、ダイカッタで上層２３のみに切込みやミシン目を入れる工程に移行する。この工程では、はがき部５となる領域では、はがき本体５１の形状に合わせて、切取線５４となる箇所にミシン目を入れる。このとき、はがき部５とシール部６との境界又ははがき部５とクーポン部７との境界は、ミシン目ではなく、切込みを入れて分離してもよいが、この境界部分もミシン目、又は、少なくとも一箇所にアンカット部を入れて切込みを入れることで、はがき本体５１が下層２４から不測に外れたり、浮き上がったりするのを防ぐことができる。
【００４８】
また、クーポン部７となる領域では、クーポン７１の切取線７２となる箇所にミシン目を入れる。さらに、広告領域９Ａとシール部６との境界の上層２３に、ミシン目を入れて切取線６６を形成する。この広告領域９Ａとシール部６との境界は、切込みを入れて互いに切り離してもよいが、ミシン目の切取線６６とすることで、アンカット部で広告領域９Ａとシール部６とが接続され、広告領域９Ａの上層２３が長辺２１Ｄ側で不測に浮き上がったり、めくれたりするのを防ぐことができる。
【００４９】
また、起立部８の起立用折目８３となる箇所にミシン目を入れ、起立用切込８４となる箇所に切込みを入れる。また、必要に応じて接合用折目８６にもミシン目を入れる。さらに、起立用切込８４に連続して、基部８２と広告領域９Ａ，９Ｂの上層２３との間の切取線８８Ａ，８８Ｂとなる箇所にミシン目を入れる。なお、起立用切込８４となる箇所は、切込みではなくミシン目を入れてもよく、起立部８の形成時にミシン目を破断して起立用切込８４を形成することもできる。また、各切取線８８Ａ，８８Ｂ，６６，５４と一貫してミシン目を入れる作業を行うことが可能となる。
【００５０】
また、広告領域９Ａ，９Ｂの上層２３の折目９２Ａ，９２Ｂとなる箇所にミシン目を入れる。さらに、この折目９２Ａ，９２Ｂに沿って、広告領域９Ａ，９Ｂの上層２３に、粘着剤を塗布して粘着層９１Ａ，９１Ｂを形成する。なお、この粘着層９１Ａ，９１Ｂは、広告領域９Ａ，９Ｂの一方のみであっても、上層２３の接着が可能である。ここまでは、印刷、シート本体２の裁断、積層に至るまで一貫した工程で行うことができる。
【００５１】
次に、起立部８を形成する工程に移行する。まず、起立用折目８３を折り曲げ、この起立用折目８３を起点として起立片８１を起立させる。その後、起立用切込８４を折り曲げて、二等辺三角形状となった中央周辺の表面２０１ａを互いに接着剤で接着することで、中央接合部８７を形成する。このように、中央接合部８７によって上層２３の中央を接着しても、図５に示すように、中央の折目２２を介してはがき付き印刷物１を閉じることができる。
【００５２】
最後に、二層構造のシート本体２を、折目２２で折り重ね、短辺２１Ａと短辺２１Ｂとを互いに近接して配置し、粘着層９１Ａ，９１Ｂを接着して上層２３の表面２０１ａの積層面を互いに貼り合わせることで、図５に示すように、もとの紙片２０１，２０２のほぼ２分の１のサイズ（例えば、Ａ４サイズ）のはがき付き印刷物１を形成することができる。このように二枚の紙片２０１，２０２を用いて二層構造のシート本体２とすることで、Ａ４サイズほぼ４枚分の面積の印刷面を得ることができる。
【００５３】
また、最上層に配置された下層２４の短辺２１Ｂの下端付近に、その位置から剥離することを示す目印２５が印刷されている。なお、はがき付き印刷物１を開き易くなるように、シート本体２を折目２２で折り重ねたときに、図４に示すように、短辺２１Ａと短辺２１Ｂとが１ｃｍ程度ずれるような寸法合わせとする。また、粘着層９１Ａ，９１Ｂによって上層２３の表面２０１ａを互いに貼り合わせることにより、利用者に届くまで、はがき付き印刷物１が不測に開くのを防ぐことができる。
【００５４】
このようにして製作されたシート状のはがき付き印刷物１は、ダイレクトメールとして利用者に配布される。そのため、例えば、図５に一点鎖線で囲った宛名領域２６に、利用者の宛名が印刷される。宛名領域２６は、図５では長辺２１Ｃ側の片隅に設けているが、これに限定されることはなく、中央に設けてもよいし、長辺２１Ｄ側に設けてもよい。また、宛名の印刷に代えて宛名シールを添付することもできる。宛名以外の領域には、社名や広告情報などを掲載することができる。
【００５５】
このはがき付き印刷物１を受け取った利用者は、シート本体２の最上層や最下層の外面（紙片２０２の裏面２０２ｂ）に露出した部分に印刷された文字、図などの広告情報を視認する。これらの広告情報に関心を持った利用者は、さらに情報を収集するために、目印２５部分を保持して最上層を最下層から引き剥がして、図１に示すように、はがき付き印刷物１を開く。この場合、短辺２１Ａ，２１Ｂに沿って設けられた粘着層９１Ａ，９１Ｂの接着を剥がすことで、最下層と最上層とを簡単に分離して、はがき付き印刷物１を開くことができる。
【００５６】
すると、中央接合部８７によって折り畳まれた起立部８の起立片８１が、起立用折目８３を起点にして起立用切込８４から自然に起き上る。また、起立片８１の起立により、下層２４の起立片８１が積層していた領域が露出する。
【００５７】
このようにして起立片８１が、シート本体２の中央に立体的に現れることで、利用者に印象付けることができ、利用者の興味を引くことができる。利用者は、起立片８１の両面（紙片２０１の表面２０１ａ及び裏面２０１ｂ）に印刷された広告情報や、下層２４の露出部分（紙片２０２の表面２０２ａ）の広告情報を視認することができる。
【００５８】
また、はがき付き印刷物１を開くことで、図１に示すように、はがき部５、シール部６、クーポン部７及び広告領域９Ａ，９Ｂも露出する。広告領域９Ａ，９Ｂなどに印刷されたはがき部５の利用方法などを読んで、関心を持った利用者は、切取線５４であるミシン目に沿って、はがき本体５１を切り離すことができる。
【００５９】
はがき本体５１の通信面５３に必要事項を記載したら、シール部６の台紙６２から保護シール６１を剥離し、通信面５３に張り付けることで、秘匿情報を保護することができる。したがって、利用者は安心して商品やカタログ申し込みなどを行うことができ、申込みの意欲を高めさせることができる。
【００６０】
また、保護シール６１を剥離することで、利用者は、台紙６２の一方の面（紙片２０２の表面２０２ａ）に印刷された広告情報を視認することができる。したがって、台紙６２の一方の面、さらには保護シール６１の他方の面（紙片２０１の裏面２０１ｂ）にも広告情報を印刷することができ、より多くの広告情報を掲載することができるとともに、利用者に対して、より多くの情報を提供することができる。
【００６１】
一方、クーポン部７に関心を持った利用者は、切取線７２であるミシン目に沿って、クーポン７１を切り離し、使用することができる。また、各クーポン７１の他方の面（紙片２０１の裏面２０１ｂ）に印刷された情報や、クーポン７１が積層された広告領域９Ｂの一方の面（紙片２０２の表面２０２ａ）に印刷された情報を読むことができ、クーポン７１のさらに詳細な情報を知ることができる。なお、クーポン７１を互いに切り離すことなく、クーポン部７の周縁に沿ってクーポン部７全体を切り取ることもでき、クーポン部７のみを店舗やスクールなどに持ち歩き、必要に応じてクーポン７１を切り離して使用することもできる。
【００６２】
さらに、広告領域９Ａ，９Ｂにおいて、シール部６、クーポン部７、起立部８と接続する切取線６６，８８Ａ，８８Ｂ，５４などのミシン目のアンカット部を破断し、折目９２Ａ，９２Ｂから折り返して広告領域９Ａ，９Ｂを開くことができる。これにより、広告領域９Ａ，９Ｂの上層２３と下層２４との合わせ面、すなわち、広告領域９Ａ，９Ｂの上層２３の他方の面（紙片２０１の裏面２０１ｂ）と下層２４の一方の面（紙片２０２の表面２０２ａ）に印刷された広告情報を、利用者が視認することができる。
【００６３】
なお、図６では、シート本体２からはがき部５、クーポン部７を切り取らないで、シート本体２を展開した状態を示す。この場合、広告領域９Ａ，９Ｂと基部８２との間の切取線８８Ａ，８８Ｂ及びはがき部５とシール部６との間の切取線５４のミシン目のアンカット部を破断して、折目９２Ａ，９２Ｂから上層２３を折り返すことで、図６に示すようにシート本体２を展開することができる。
【００６４】
この展開状態で、利用者は広告領域９Ａ，９Ｂの上層２３と下層２４との合わせ面（紙片２０１の裏面２０１ｂ及び紙片２０２の表面２０２ａ）に印刷された広告情報を視認することができる。また、はがき本体５１の通信面５３やクーポン７１の他方の面（紙片２０１の裏面２０１ｂ）に印刷された広告情報も視認することができる。また、保護シール６１を台紙６２から剥離することにより、保護シール６１の他方の面（紙片２０１の裏面２０１ｂ）や台紙６２の一方の面（紙片２０２の表面２０２ａ）に印刷された広告情報を視認することもできる。
【００６５】
次に、本実施の形態のはがき付き印刷物１の作用について説明する。
【００６６】
以上のように構成された本実施の形態のはがき付き印刷物１は、二枚の紙片２０１，２０２を積層した二層構造であり、シール部６が形成された接合部４と、はがき部５、クーポン部７、起立部８、広告領域９Ａ，９Ｂが形成された非接合部３とが、ミシン目のアンカット部で接続されている。また、分離領域のはがき本体５１やクーポン７１は残置領域とミシン目のアンカット部で接続されている。分離領域の保護シール６１は、粘着層６３により台紙６２に接着されている。
【００６７】
そのため、配布時などの意図しない時機に非接合部３が開いたり、浮き上がったり、めくれたりするのを防ぐことができる。さらに、分離領域の不測の脱落も防ぐことができ、利用者の好きなときに容易に分離領域のはがき本体５１、クーポン７１、保護シール６１などを取り外すことができる。また、非接合部３には粘着剤やコーティング剤を使用しないため、材料費を低減してシート状印刷物を廉価に実施することができる。
【００６８】
そして、ミシン目のアンカット部を破断して、非接合部３に設けられた広告領域９Ａ，９Ｂの上層２３と下層２４との合わせ面を開くことができ、この合わせ面に印刷された広告情報を利用者に提示することができる。また、接合部４に設けられた保護シール６１を剥離することで、その裏面や台紙６２に印刷された広告情報も利用者に提示することができる。さらに、非接合部３に設けられたはがき本体５１やクーポン７１を切り離すことで、これらの裏面や下層２４に印刷された広告情報も利用者に提示することができる。このように、紙片２０１，２０２の両面を有効に利用して、二層構造のシート本体２の印刷面積をより広く確保することができ、より多くの広告情報を掲載することが可能なシート状印刷物を実現することができる。
【００６９】
また、シート本体２の中央に設けた起立部８の起立片８１が、シート本体２から起立することで、起立片８１に印刷した広告情報を立体的に見せて、利用者に強く印象付けることができる。
【００７０】
また、はがき本体５１、保護シール６１、クーポン７１などの分離領域を、上層２３に設け、折目２２から二層構造のシート本体２を、上層２３を内側にして折り畳み、上層２３の互いに対峙した端縁近傍を剥離可能に接着している。そのため、配布時などの意図しない時機に、広告領域９Ａ，９Ｂが開いたり、分離領域が外れたりするのを良好に防ぐことができる。また、起立部８を設けた場合、折り畳時は起立片８１がはがき付き印刷物１の内側に収容され、折り畳みを解除した時に、広告情報が印刷された起立片８１が自然に起立することとなり、利用者により強い印象を与えることができる。
【００７１】
以上、図面を参照して、本考案の実施の形態を詳述してきたが、具体的な構成は、この実施の形態に限らず、本考案の要旨を逸脱しない程度の設計的変更は、本考案に含まれる。
【００７２】
例えば、前記実施の形態では、シート本体２を紙片２０１，２０２として説明したが、これに限定されるものではなく、合成樹脂などのシート、膜、薄板など、厚みが薄い面状材であればシート本体２にすることができる。
【００７３】
また、前記実施の形態では、分離領域をはがき本体５１、保護シール６１、クーポン７１として説明したが、これに限定されるものではない。例えば、招待券などを分離領域に設けてもよい。
【００７４】
また、前記実施の形態では、はがき本体５１とクーポン７１とは、切り取り可能な切離部として形成されているが、これに限定されることはない。はがき本体５１及びクーポン７１の他方の面（紙片２０１の裏面２０１ｂ）に粘着層を形成し、下層２４に形成したコーティング層に剥離可能に接着し、シール状のはがき本体５１及びクーポン７１とすることもできる。
【００７５】
さらに、前記実施の形態では、はがき本体５１、保護シール６１、クーポン７１、起立部８などを、長方形や台形に形成しているが、これに限定されるものではない。使用目的やデザインなどに応じて、正方形や他の多角形状、又は半円形状やドーム形状、若しくは、花形、星形など、デザイン化した形状とすることもできる。
【００７６】
また、起立部８は、基部８２を接着してシート本体２から分離することのない残置領域としているが、これに限定されるものではない。例えば、起立片８１にクーポンや招待券、はがきなどを印刷して、起立用折目８３などから切り離し可能、又は基部８２を剥離可能とすれば、立体的に飛び出してきたクーポン等に興味を示した利用者が、切り離して利用するという行動に結び付けることができる。また、起立部８の形成位置が、シート本体２の中央に限定されることはなく、使用目的やデザイン性などに応じて適宜の位置に形成することができる。
【００７７】
さらに、前記実施の形態では、ダイレクトメールとして配布されるはがき付き印刷物１を使用する場合について説明したが、これに限定されるものではない。例えば、新聞の折込み広告、住戸の郵便受けに投函される広告、街頭や店頭で配布される広告、又は雑誌や本の綴込みなどに本考案のシート状印刷物を使用することができる。
【符号の説明】
【００７８】
１                  はがき付き印刷物（シート状印刷物）
２                  シート本体
２０１，２０２      紙片
２０１ａ，２０２ａ  第一面（表面）
２０１ｂ，２０２ｂ  第二面（裏面）
２３                上層
２４                下層
３                  非接合部
４                  接合部
５１                はがき本体（分離領域、切離部）
５４                切取線（切込み）
６１                保護シール（分離領域、シール部）
６６，７２          切取線（切込み）
７１                クーポン（分離領域、切離部）
８                  起立部
８３                起立用折目
８４                起立用切込
【図１】
0003191770.tif 000003
【図２】
0003191770.tif 000004
【図３】
0003191770.tif 000005
【図４】
0003191770.tif 000006
【図５】
0003191770.tif 000007
【図６】
0003191770.tif 000008